(57)【要約】【課題】光ピックアップが存在する空間に埃が侵入することを抑制しつつ、光ピックアップが発する熱を外部に効率的に伝達する。【解決手段】本発明の記録再生装置は、筐体１１１の内部が仕切りにより第１の空間１と第２の空間２とに分割されている記録再生装置であって、記録媒体にデータを書き込むための光ピックアップ１０４と、光ピックアップ１０４に熱的に接続されて光ピックアップ１０４が発する熱を伝熱する放熱部材１０９とを備える。光ピックアップ１０４および放熱部材１０９は、それぞれ、第１の空間１と第２の空間２に配置されている。【選択図】図２Ａ
2015215939.tif 000002
【特許請求の範囲】
【請求項１】
複数のピックアップ部品と、
記録媒体の走行方向に対して傾斜した方向に沿って前記複数のピックアップ部品が配列された状態で前記複数のピックアップ部品の位置を決める位置決め機構と、
を備え、
前記位置決め機構は、
前記複数のピックアップ部品の各々が前記傾斜した方向に沿って移動することができるように取り付けられた第１の規制部材と、
前記記録媒体の走行方向における各ピックアップ部品の位置を規定する第２の規制部材と、
を有する、光ピックアップアセンブリ。
【請求項２】
前記第１の規制部材は直線状に延びる平板または棒である、請求項１に記載の光ピックアップアセンブリ。
【請求項３】
前記第１の規制部材を前記傾斜した方向に固定する固定具を備える、請求項２に記載の光ピックアップアセンブリ。
【請求項４】
前記固定具は、前記第１の規制部材の傾斜角度を変化させるように構成されている、請求項３に記載の光ピックアップアセンブリ。
【請求項５】
前記第２の規制部材は、各々が前記複数のピックアップ部品の対応する１つに当接する複数の面を有しており、前記複数の面が前記記録媒体の走行方向における前記複数のピックアップ部品の位置を決める、請求項１に記載の光ピックアップアセンブリ。
【請求項６】
前記第２の規制部材は、前記複数のピックアップ部品の１つに当接する面を有している、請求項１に記載の光ピックアップアセンブリ。
【請求項７】
前記第２の規制部材は、各々が前記複数のピックアップ部品の間に挿入され、前記記録媒体の走行方向における前記複数のピックアップ部品の位置を決める複数のスペーサを含んでいる、請求項６に記載の光ピックアップアセンブリ。
【請求項８】
前記第２の規制部材は、各々が前記複数のピックアップ部品の対応する１つに対向する複数の対向面を有しており、
前記複数の対向面は、前記記録媒体の走行方向に沿って階段状に配列されており、
前記複数のピックアップ部品と前記複数の対向面との間には隙間が設けられている、請求項６または７に記載の光ピックアップアセンブリ。
【請求項９】
前記複数のピックアップ部品と前記複数の対向面との間の前記隙間には、流動性を有する伝熱材料が充填されている、請求項１に記載の光ピックアップアセンブリ。
【請求項１０】
請求項１に記載の光ピックアップアセンブリと、
光テープを走行させるモータと、
前記光テープにデータを記録し、前記光テープからデータを再生するための記録再生回路と、
を備える記録再生装置。
【発明の詳細な説明】
【技術分野】
【０００１】
本発明は記録再生装置に関し、特に光ピックアップが発生する熱を装置の外部に排出する構成を有する記録再生装置に関する。
【背景技術】
【０００２】
光ディスク装置では、光ピックアップに使用しているレンズ、プリズム、半導体レーザ等は使用できる温度範囲が限られている。一方、高倍速化等により、光ピックアップの発生する熱は増加する傾向にある。
【０００３】
特許文献１には、光ピックアップから伝熱部材を通じ、発生した熱を、筐体外の放熱手段に導き、放熱する構成が開示されている。
【０００４】
特許文献２には、複数の光ピックアップを用いて光テープ（テープメディア）にデータを記録する装置が開示されている。光ピックアップの個数が増加すると、発熱量が増える。
【先行技術文献】
【特許文献】
【０００５】
【特許文献１】実開平３−７１４９１号公報
【特許文献２】特開２００６−２８６０７０号公報
【発明の概要】
【発明が解決しようとする課題】
【０００６】
特許文献１の構成では筐体外の放熱板と光ピックアップの距離が遠いため、放熱手段に効果的に熱を伝えることができないという問題点があった。また、複数の光ピックアップを用いて光テープにデータを記録するためには、複数の光ピックアップの位置決めの精度を高める必要がある。
【０００７】
本発明は、放熱手段に効果的に熱を伝えることができる記録再生装置を提供することを目的とする。本発明の他の目的は、複数の光ピックアップの位置決め精度を高めることにある。
【課題を解決するための手段】
【０００８】
本発明の記録再生装置は、筐体と、前記筐体の内部を第１の空間と第２の空間とに分割する板状部材と、前記第１の空間内に配置され、前記第１の空間内で記録媒体にデータを書き込むことができるように構成された少なくとも１個の光ピックアップと、前記光ピックアップが発する熱を前記第２の空間に伝達する放熱部材とを備える。
【０００９】
ある実施形態において、前記筐体は、前記第２の空間を装置外部と連通する複数の開口部を有している。
【００１０】
ある実施形態において、前記少なくとも１個の光ピックアップは、所定間隔で配列された複数の光ピックアップである。
【００１１】
ある実施形態において、前記記録媒体はテープメディアであり、前記第１の空間内において前記テープメディアを案内するガイドポストと、前記第１の空間内で前記テープメディアを巻き取るリールと、前記リールを回転させるモータとを備え、前記複数の光ピックアップは、前記テープメディアの走行方向に配列されている。
【００１２】
ある実施形態において、前記複数の光ピックアップは、前記テープメディアの幅方向においてそれぞれ異なる位置に配置されている。
【００１３】
ある実施形態において、前記複数の光ピックアップは、前記テープメディアの幅方向に傾斜した平板または直線状の棒部材に固定されている。
【００１４】
ある実施形態において、前記放熱部材の少なくとも一部は前記第２の空間内に露出している。
【００１５】
ある実施形態において、前記放熱部材と前記複数の光ピックアップの各々との間には隙間があり、前記隙間は流動性を有する伝熱材料で充填されている。
【００１６】
ある実施形態において、前記板状部材は、前記光ピックアップおよび前記放熱部材を支持するように構成されている。
【００１７】
ある実施形態において、前記板状部材は、前記放熱部材の少なくも一部として機能する。
【００１８】
ある実施形態において、前記複数の光ピックアップの着脱が自在である。
【００１９】
ある実施形態において、前記板状部材には穴が存在し、前記放熱部材は前記穴を貫通して前記光ピックアップと熱的に結合されている。
【００２０】
ある実施形態において、前記第２の空間内に設けられた送風ファンを備え、前記送風ファンが発生する風により前記光ピックアップの発生する熱を前記記録再生装置の外部に排出する。
【００２１】
本発明の光ピックアップアセンブリは、複数のピックアップ部品と、記録媒体の走行方向に対して傾斜した方向に沿って前記複数のピックアップ部品が配列された状態で前記複数のピックアップ部品の位置を決める位置決め機構とを備え、前記位置決め機構は、前記複数のピックアップ部品の各々が前記傾斜した方向に沿って移動することができるように取り付けられた第１の規制部材と、前記記録媒体の走行方向における各ピックアップ部品の位置を規定する第２の規制部材とを有する。
【００２２】
ある実施形態において、前記第１の規制部材は直線状に延びる平板または棒である。
【００２３】
ある実施形態において、前記第１の規制部材を前記傾斜した方向に固定する固定具を備える。
【００２４】
ある実施形態において、前記固定具は、前記第１の規制部材の傾斜角度を変化させるように構成されている。
【００２５】
ある実施形態において、前記第２の規制部材は、各々が前記複数のピックアップ部品の対応する１つに当接する複数の面を有しており、前記複数の面が前記記録媒体の走行方向における前記複数のピックアップ部品の位置を決める。
【００２６】
ある実施形態において、前記第２の規制部材は、前記複数のピックアップ部品の１つに当接する面を有している。
【００２７】
ある実施形態において、前記第２の規制部材は、各々が前記複数のピックアップ部品の間に挿入され、前記記録媒体の走行方向における前記複数のピックアップ部品の位置を決める複数のスペーサを含んでいる。
【００２８】
ある実施形態において、前記第２の規制部材は、各々が前記複数のピックアップ部品の対応する１つに対向する複数の対向面を有しており、前記複数の対向面は、前記記録媒体の走行方向に沿って階段状に配列されており、前記複数のピックアップ部品と前記複数の対向面との間には隙間が設けられている。
【００２９】
ある実施形態において、前記複数のピックアップ部品と前記複数の対向面との間の前記隙間には、流動性を有する伝熱材料が充填されている。
【００３０】
本発明の他の記録再生装置は、上記の光ピックアップアセンブリと、光テープを走行させるモータと、前記光テープにデータを記録し、前記光テープからデータを再生するための記録再生回路とを備える。
【発明の効果】
【００３１】
本発明によれば、放熱手段に効果的に熱を伝えることができる記録再生装置を提供できる。
【図面の簡単な説明】
【００３２】
【図１Ａ】光テープ１０５の一部を模式的に拡大して示す斜視図
【図１Ｂ】光テープ１０５の一部を模式的に示す平面図
【図２Ａ】本発明の実施形態による光データストリーマ装置の構成例を示す図
【図２Ｂ】図２ＡのＢ−Ｂ線断面図
【図３】本実施形態における光データストリーマ装置の回路構成例を示す図
【図４】本実施形態における一対の光ピックアップ１０４の構成例を示す斜視図
【図５】本実施形態における一対の光ピックアップ１０４を１つのケース内に収容したピックアップ部品６を示す斜視図
【図６】ピックアップ部品６の配置例を示す平面図
【図７Ａ】一対の光ピックアップ１０４が有する対物レンズ８ａ、８ｂを模式的に示す断面図
【図７Ｂ】対物レンズ８ａ、８ｂの光テープ１０５の表面に対する配置関係の例を模式的に示す平面図
【図８Ａ】実施形態において筐体１１１を取り除いた状態の構成を裏面側から見た斜視図
【図８Ｂ】実施形態において筐体１１１を取り除いた状態の構成を表面側から見た斜視図
【図９】第２の空間２の側から見たシャーシ１１０の構成例を示す図
【図１０】本実施形態における筐体１１１の裏面側を示す斜視図
【図１１】ピックアップ部品６の位置を決める位置決め部材２００の一例と、この位置決め部材２００によって位置決めがなされた複数のピックアップ部品６との配置を示す平面図
【図１２】光テープ１０５の走行方向（Ｘ方向）に垂直な方向（Ｙ方向）に当接面２００ａの位置がずれた場合の位置決め部材２００の一部を示す平面図
【図１３】（ａ）から（ｄ）は、素材ブロック２００’から機械加工により位置決め部材２００を作製する途中段階における、位置決め部材２００の形状変化を模式的に示す工程断面図
【図１４】取り付け軸２０１と、この取り付け軸２０１に取り付けられたピックアップ部品６と、ピックアップ部品６のテープ走行方向における位置を規定する位置決め部材２０３とを示す平面図
【図１５】デルタＸとデルタＹとの関係を示す図
【図１６】ある実施形態における光ピックアップアセンブリ６０の構成例を示す平面図
【図１７】光ピックアップアセンブリ６０の一構成例を示す平面図
【図１８】図１７の光ピックアップアセンブリ６０の側面図
【図１９】光ピックアップアセンブリ６０の他の構成例を示す平面図
【図２０】図１９の光ピックアップアセンブリ６０の側面図
【図２１】位置決め機構の変形例を模式的に示す図
【発明を実施するための形態】
【００３３】
以下、本発明による記録再生装置の実施形態を説明する。本実施形態における記録再生装置は、記録媒体として光テープを用いる光データストリーマ装置である。光データストリーマ装置は、大量のデータのバックアップに使用され得る。光データストリーマ装置は、転送レートを上げ、短時間でバックアップを行うため、複数の光ピックアップを具備している。
【００３４】
図１Ａは、光テープ１０５の一部を模式的に拡大して示す斜視図である。光テープ１０５は、例えばベースフィルム４ａ、ベースフィルム４ａの裏面に張り付けられたバックコート層４ｂ、およびベースフィルム４ａに支持されたインプリント層４ｃを含む。インプリント層４ｃの上面には、ランド４ｄおよびグルーブ４ｅが形成されている。図面には記載されていないが、インプリント層４ｃの上面を覆うように反射膜および記録材料膜が積層されている。光テープ１０５は、長尺方向Ｌに沿って延びており、例えば数百ｍの長さを有している。幅Ｗは、例えば数ｍｍから数ｃｍの範囲内に設定され得る。厚さは、数μｍから数十μｍ程度であり得る。
【００３５】
図１Ａのスケールは、現実の光テープ１０５のサイズを忠実に反映してない。実際の光テープ１０５には、数百本またはそれ以上の本数のランド４ｄおよびグルーブ４ｅが形成され得る。ある実施形態では、データがランド４ｄおよびグルーブ４ｅの一方に記録される。データが記録されるランド４ｄまたはグルーブ４ｅを「トラック」と称する。トラックのピッチは、例えば０．２〜０．４μｍの範囲に設定され得る。
【００３６】
図１Ｂは、光テープ１０５の一部を模式的に示す平面図である。長尺方向Ｌに沿ってＮ（Ｎは典型的には１００以上の整数）本のトラック０〜トラックＮが形成されている。図１Ｂに示されるトラックの幾つかには矢印が記載されている。この矢印は、データの記録方向を模式的に示している。１つの光テープ１０５には、異なる方向にデータが記録され得る。
【００３７】
光テープ１０５には、光ビームの照射によって光学的にマークが形成され得る。より具体的に言えば、このようなマークは記録材料膜に形成される。光ビームの照射は、光源と、この光源から出射された光ビームを光テープ１０５にフォーカスさせる対物レンズとを含む「光ピックアップ」によって行われる。光ピックアップが光テープ１０５に光ビームを照射すると、光テープ１０５上の照射領域と他の領域（非照射領域）との間で、屈折率などの光学特性が変化する。このようにして光学特性が変化した領域を「記録マーク」と称する。
【００３８】
光テープ１０５に記録されているデータは、比較的弱い一定強度の光ビームを光記録媒体に照射し、光テープ１０５によって変調された反射光を検出することによって再生される。光テープ１０５にデータを記録する場合、記録すべきデータに応じて光パワーを変調したパルス状の光ビームを光テープ１０５に照射し、それによって記録材料膜の特性を局所的に変化させることによってデータの書き込みを行う。
【００３９】
記録材料膜にデータを記録するとき、上述のように光パワーを変調した光ビームを記録材料膜に照射することより、結晶質の記録材料膜に非晶質の記録マークを形成する。この非晶質の記録マークは、記録用光ビームの照射を受けた記録材料膜の一部が融点以上の温度に上昇した後、急速に冷却されることによって形成される。光ビームを記録マークに照射するときの光パワーを低めに設定すると、光ビームが照射された記録マークの温度は融点を超えず、急冷後に結晶質に戻る（記録マークの消去）。こうして、記録マークの書き換えを何度も行うことが可能になる。データを記録するときの光ビームの光パワーの大きさが不適切であると、記録マークの形状が歪み、データを再生することが難しくなることがある。
【００４０】
光テープ１０５に対してデータの記録または再生を行うとき、光ビームが目標トラック上で常に所定の集束状態となる必要がある。このためには、「フォーカス制御」および「トラッキング制御」が必要となる。「フォーカス制御」は、光ビームの焦点（集束点）の位置が常に目標トラック上に位置するように対物レンズの位置を光テープ１０５の表面（記録面）に垂直な方向に制御することである。一方、トラッキング制御とは、光ビームのスポットが所定のトラック上に位置するように対物レンズの位置を光テープ１０５の記録面に平行であってトラックに垂直な方向に制御することである。
【００４１】
上述したフォーカス制御およびトラッキング制御を行うためには、光テープ１０５から反射される光に基づいて、フォーカスずれやトラックずれを検知し、そのずれを縮小するように光ビームスポットの位置を調整することが必要である。フォーカスずれおよびトラックずれの大きさは、それぞれ、光テープ１０５からの反射光に基づいて生成される「フォーカス誤差（ＦＥ）信号」および「トラッキング誤差（ＴＥ）信号」によって示される。
【００４２】
図２Ａは、本実施形態による光データストリーマ装置の構成例を示す図である。図２Ｂは図２ＡのＢ−Ｂ線断面図である。本実施形態では、図２Ａの上側が鉛直上方であり、下側が鉛直下方に対応している。このため、図２Ｂは、この光データストリーマ装置を鉛直上方から見た内部構成の配置例を示している。
【００４３】
図２Ａおよび図２Ｂは、光テープ１０５を収容するテープカートリッジ１０１が装填された状態を示している。テープカートリッジ１０１は着脱可能であり、図示される光データストリーマ装置には、同じ形状を有する複数のテープカートリッジ１０１から選択された１つが装填され得る。
【００４４】
本実施形態の光データストリーマ装置は、筐体１１１と、筐体１１１の内部を第１の空間１と第２の空間２とに分割するシャーシ１１０と、第１の空間１内に配置され、第１の空間１内で光テープ１０５にデータを書き込むことができるように配置された複数のピックアップ部品６と、ピックアップ部品６が発する熱を第２の空間２に伝達する放熱板１０９とを備えている。複数のピックアップ部品６は光ピックアップアセンブリ６０が備える位置決め機構によって位置決めされている。筐体１１１は、第２の空間２を装置外部と連通する複数の開口部を有している。
【００４５】
より詳細には、この光データストリーマ装置は、光テープ１０５を走行させるためのモータ１０６、１０７、ガイドポスト１０３、および巻取リール１０２を備えている。モータ１０７は、巻取リール１０２と機械的に結合しており、巻取リール１０２を回転させる。モータ１０６は、装填されたテープカートリッジ１０１の回転軸と機械的に結合し、テープカートリッジ１０１の外部に引き出されたテープ１０５をテープカートリッジ１０１内に巻き戻すように動作する。モータ１０６、１０７により、テープ１０５は、矢印で示す２つの方向のいずれにも走行することができる。
【００４６】
光ピックアップアセンブリ６０は、光テープ１０５の走行方向に沿って配列された複数のピックアップ部品６を有している。個々のピックアップ部品６の構造について、詳細は後述する。本実施形態における光ピックアップアセンブリ６０は、上段および下段の各々に複数のピックアップ部品６を有している。この光ピックアップアセンブリ６０は、放熱板１０９に熱的に接続されている。第２の空間２には、放熱板１０９に送風を行う送風ファン１０８が設けられており、送風ファン１０８はモータ１０７に機械的に結合している。モータ１０７の回転に応じて送風ファン１０８も回転する。
【００４７】
各ピックアップ部品６は、１個または複数の光ピックアップを内蔵する。本実施形態では、各ピックアップ部品が、後述するように一対の光ピックアップを備えている。個々の光ピックアップは、光ビームを発する光源と、光ビームをテープ１０５上に収束する対物レンズと、対物レンズを駆動するレンズアクチュエータと、光テープ１０５からの反射光を検知して必要な信号を生成する光検出器などを備えている。ピックアップ部品６は、光ピックアップ用フレキシブル回路基板（ＦＰＣ）１１２に接続されている。この光データストリーマ装置は、このフレキシブル回路基板１１２に接続された不図示の回路基板（後述）を備えており、この回路基板には、ピックアップ部品６やモータ１０６、１０７を制御するための回路要素が設けられている。なお、フレキシブル回路基板１１２には、通常であればピックアップ部品６および他の回路基板上に搭載されるような回路の一部が実装されていてもよい。
【００４８】
図３を参照して、本実施形態における光データストリーマ装置の回路構成例を説明する。
【００４９】
図示されている光データストリーマ装置は、光ピックアップアセンブリ６０およびモータ１０６、１０７と電気的に接続された回路ブロックを備えている。
【００５０】
図３に示す構成例では、光ピックアップアセンブリ６０の出力がフロントエンド信号処理部１３０６を介してエンコーダ／デコーダ１３０８に送られる。エンコーダ／デコーダ１３０８は、データ読み出し時、光ピックアップアセンブリ６０によって得られる信号に基づいて光テープ１０５に記録されているデータを復号する。データ書き込み時、エンコーダ／デコーダ１３０８はデータを符号化し、光テープ１０５に書き込むべき信号を生成し、光ピックアップアセンブリ６０に送出する。
【００５１】
フロントエンド信号処理部１３０６は、光ピックアップアセンブリ６０の出力に基づいて再生信号を生成する一方、フォーカス誤差信号ＦＥやトラッキング誤差信号ＴＥを生成する。フォーカス誤差信号ＦＥやトラッキング誤差信号ＴＥは、サーボ制御部１３１０に送出される。サーボ制御部１３１０は、ドライバアンプ１３０４を介してモータ１０６、１０７を制御する一方、光ピックアップアセンブリ６０内の各レンズアクチュエータを介して対物レンズの位置を制御する。エンコーダ／デコーダ１３０８およびサーボ制御部１３１０などの構成要素は、ＣＰＵ１３０９によって制御される。図３に示されるブロックは、例えば集積回路素子およびメモリなどの電子部品を回路基板上に搭載して実現することができる。
【００５２】
本実施形態で使用され得る光テープ１０５の記録面の幅は、例えば約１０ｍｍである。この場合、例えば２４個の光ピックアップによって、走行中の光テープ１０５の記録面の全幅に渡って、データの記録および再生が行われ得る。
【００５３】
テープカートリッジ１０１が光データストリーマ装置に装填される前、光テープ１０５はテープカートリッジ１０１に、図示しないリールに巻かれた状態で収納されている。テープカートリッジ１０１が光データストリーマ装置に装填されると、光テープ１０５は複数のテープガイドポスト１０３に案内されて引き出され、巻取リール１０２に巻き取られる。各ピックアップ部品６は光テープ１０５に対し所定の位置に固定され、光テープ１０５に対して情報の記録再生を行う。本実施形態における光ピックアップの個数は２４個である。このため、最大２４個の光ピックアップによって同時にデータの記録再生を行うことが可能である。なお、１つの光データストリーマ装置が備える光ピックアップの個数は、２４個に限定されず、この数よりも少なくても多くてもよい。
【００５４】
送りモータ１０７は巻取リール１０２を回転駆動し、光テープ１０５を順方向に走行させる。また同時に送風ファン１０８を駆動し放熱板１０９に風を送る。逆送りモータ１０６はテープカートリッジ１０１内の図示しないリールを回転駆動し、光テープ１０５を逆方向に駆動する。この際、光テープ１０５により巻取リール１０２も駆動されるため送風ファン１０８も駆動される。ピックアップ部品６は放熱板１０９と熱的に結合され、その発生する熱は放熱板１０９に伝達される。放熱板１０９の大部分は第２の空間２内（シャーシ１１０の下部）に配置されている。これらの部材は全て板状のシャーシ１１０に取り付けられている。この点については後述する。
【００５５】
放熱板１０９とピックアップ部品６との熱的な結合のため、シャーシ１１０には穴があけられ、放熱板１０９の上部はシャーシ１１０の上、すなわち第１の空間１内に出ている。また、これらの部材全ては筐体１１１内に収納されている。
【００５６】
記録時または再生時、光テープ１０５は順送りモータ１０７、または逆送りモータ１０６により、順方向または逆方向に走行し、この間、各光ピックアップは光テープ１０５に対し同時に記録または再生を行うことができる。光ピックアップの発生する熱は放熱板１０９に伝達される。送風ファン１０８はこの放熱板１０９に風を送り、この放熱板１０９の熱を筐体１１１外部に放出する。
【００５７】
図４は、本実施形態における光ピックアップ１０４の構成例を示す斜視図である。この構成例では、一対の光ピックアップ１０４が一体化されており、１つの光学ベース２０と、この光学ベース２０の上面に固定された２つのレンズアクチュエータ９ａ、９ｂとを備えている。言い換えると、図示される構成では、独立して対物レンズ８ａ、８ｂを駆動することができる２つの光ピックアップ１０４が一体化されている。図４には、破線で光テープ１０５のエッジが記載されている。各々が一対の光ピックアップ１０４を備える複数のピックアップ部品６を図２Ａおよび図２Ｂに矢印で示す「テープ走行方向」に沿って配列する場合、１つの光テープ１０５に対して、対物レンズ８ａ、８ｂがカバーするトラック範囲を光ピックアップ毎に変えることが効率的である。
【００５８】
図５は、図４に示す一対の光ピックアップ１０４を備えるピックアップ部品６を示している。このピックアップ部品６は、２つレンズアクチュエータ９ａ、９ｂを覆うカバー７を備えている。このピックアップ部品６は、概略的に直方体の形状を有しており、テープ走行方向（Ｘ方向）における幅Ｗ０を規定する平行な２つの側面６ａを有している。図５に示すピックアップ部品６には、フレキシブル回路基板１１２が接続されている。このような構成を有する１２個の部品をテープ走行方向に対して傾斜した方向に配列すると、図６に示す配置例が実現する。図４に示すように１個の光学ベース２０上に２個のレンズアクチュエータ９ａ、９ｂを固定した上で、図５に示すように１つのカバー７でレンズアクチュエータ９ａ、９ｂを覆うと、これを１個のピックアップとして扱うことも可能である。しかし、本明細書では、光ピックアップ１０４の個数は、独立して動作し得る対物レンズ８の個数に対応させてカウントすることにする。したがって、図５に示されるピックアップ部品６は、２個の光ピックアップ１０４を備えるものとする。なお、レンズアクチュエータ９ａ、９ｂを１つの光学ベース２０上に固定するとき、レンズアクチュエータ９ａ、９ｂの配置関係は高い精度で調整され得る。このため、図６に示す構成を実現する場合、図５に示す構成を有する１２個のピックアップ部品６を配列すれば良い。この場合の位置合わせは、２４個の完全に独立した光ピックアップ１０４を図６に示すように配列するよりも容易になる。
【００５９】
なお、１つのピックアップ部品６が備える光ピックアップ１０４の個数は２個に限定されず、１個でよいし、３個以上でもよい。好ましい実施形態における光ピックアップ部品６の幅Ｗ０は、図６に示されるように、Ｙ方向に一様である。
【００６０】
複数の光ピックアップ１０４が光テープ１０５の走行方向に配列されるとき、小型化の観点から、個々の光ピックアップ１０４のテープ走行方向（Ｘ方向）のサイズをできるたけ小さくすることが好ましい。一般に、大容量のデータストレージを実現するためには、多数の、図２Ａおよび図２Ｂに示すような光データストリーマ装置を多段のキャビネット上に収納することが求められる。個々の光データストリーマ装置に許容される空間的な寸法には制約があるため、光ピックアップ１０４のサイズに起因して光データストリーマ装置が大型化するとは許されない。本実施形態の光ピックアップ１０４によれば、テープ走行方向に狭いピッチで配列することが可能になる。例えば、１個の光ピックアップ１０４のテープ走行方向におけるサイズを１０ｍｍ以下に設定することが可能になる。
【００６１】
図４の光ピックアップ１０４では、光テープ１０５の記録面に対向するように２個の対物レンズ８ａ、８ｂが備えられる。２個の対物レンズ８ａ、８ｂのトラッキング方向（Ｙ方向）における中心間の距離は、例えば４〜８ｍｍの範囲内にあり、例えば約６ｍｍに設定され得る。この距離の選択は任意であり、テープ走行方向における位置に応じて異なっていてもよい。２個の対物レンズ８ａ、８ｂは、それぞれ、光テープ１０５の記録面上の別のトラック上に光ビームのスポットを形成し、各トラックを追従して記録、再生を行う。２個の対物レンズ８ａ、８ｂの位置は、それぞれ、対応する２個のレンズアクチュエータ９ａ、９ｂによって、独立してフォーカス方向およびトラッキング方向に制御される。光学ベース部２０には、２つの対物レンズ８ａ、８ｂの各々によって集光される光ビームを出射するレーザが内蔵されている。以下、対物レンズ８ａ、８ｂを総称して対物レンズ８と称し、レンズアクチュエータ９ａ、９ｂを総称してレンズアクチュエータ９と称する場合がある。
【００６２】
図７Ａは、一対の光ピックアップ１０４が有する対物レンズ８ａ、８ｂを模式的に示す断面図である。図７Ｂは、これらの対物レンズ８ａ、８ｂの光テープ１０５の表面に対する配置関係の例を模式的に示す平面図である。対物レンズ８ａ、８ｂの位置は、それぞれのレンズアクチュエータによってフォーカス方向（Ｚ方向）およびトラッキング方向（Ｙ方向）に変化する。対物レンズ８ａがトラッキング方向（Ｙ方向）に移動する幅がＷ１、対物レンズ８ｂがトラッキング方向（Ｙ方向）に移動する幅がＷ２で示されている。各光ピックアップ１０４において、対物レンズ８がトラッキング方向に移動し得る幅が例えば１ｍｍ程度であれば、幅Ｗが１０ｍｍの光テープ１０５に対して、１０個程度またはそれ以上の光ピックアップ１０４がテープ走行方向に対して傾斜した方向に配列されれば、全トラックを効率的にカバーすることができる。
【００６３】
光テープ１０５に設けられたトラックの本数は、例えば３８０００である。本実施形態における光ピックアップ１０４の個数は２４個であるため、個々の光ピックアップは約１６００本のトラックをカバーする。この約１６００本のトラックは全体として０．４８ｍｍの幅を持つ領域に存在する。各光ピックアップ１０４は、光テープ１０５の幅方向にそれぞれ０．４８ｍｍシフトして配置されている。この０．４８ｍｍの幅の領域内に存在する１６００本のトラックの任意の一本にアクセスするため、光ピックアップ１０４の対物レンズが光ピックアップ１０４の内部でテープ走行方向に対して垂直な方向に移動する。このような対物レンズの移動は、レンズアクチュエータによって実行される。その結果、対物レンズの集光によって光テープ１０５上に形成される光スポットを０．４８ｍｍの幅の領域内の任意のトラックに追従させることが可能になる。各ピックアップ１０４の光テープ１０５の幅方向の位置は精度よく固定する必要がある。
【００６４】
本実施形態におけるレンズアクチュエータの可動範囲は０．７ｍｍである。この場合、レンズ中心に対する光テープ１０５のトラック位置は±（０．７−０．４８）／２ｍｍ＝±０．１１ｍｍの精度で取り付けることが好ましい。このうち、光テープ１０５のエッジに対するトラック位置精度±０．０５ｍｍ、光ピックアップ１０４基準位置に対するレンズ位置精度±０．０３ｍｍを除くと、ドライブ側に割り振られた許容誤差は０．１１ｍｍ−０．０５ｍｍ−０．０３ｍｍ＝±０．０３ｍｍとなる。これをテープガイドポスト１０３と光ピックアップ１０４の取り付け精度に均等に割り振ると、光ピックアップ１０４の取り付け精度は０．０３／２＝±０．０１５ｍｍの精度で取り付ける必要がある。これは通常、精度のよい切削加工でしか得られない精度であり、コストアップの要因となる。
【００６５】
一方、テープ走行方向における光ピックアップ１０４の位置は変動しても、光テープ１０５上の信号読み出し、または書き込みの微妙なタイミングの変化にしかならない。このため、テープ走行方向における光ピックアップ１０４の位置合わせずれは、問題にはならない。光ピックアップ１０４の位置決め機構について、その詳細は後述する。
【００６６】
通常の光ディスク装置で使用される光ピックアップは１個であり、その発生する熱は光ピックアップ自体の表面から光ディスク装置内の空気に直接放熱される。しかしながら、本実施形態のように、２４個もの光ピックアップ１０４が存在すると、このような方法では十分な放熱効果を得ることはできない。なお、本実施形態における放熱方法は、光ピックアップ１０４の個数が１〜２個では必ずしも必須ではないが、光ピックアップ１０４の個数が４個以上になると、温度上昇を抑制することに寄与し有効である。本実施形態の構成は、光ピックアップ１０４の個数が１０個を超える場合に特に有効である。
【００６７】
個々の光ピックアップ１０４は、レーザ及び光検出素子だけで１．６Ｗ程度の電力を消費する。このため、２４個の光ピックアップ１０４は、合計１．６×２４＝３８．４Ｗの電力を消費する。ある実施形態では、筐体１１１の表面積は０．１２８ｍ２で、その表面の熱伝達率は５Ｗ／ｍ２・Ｋと見積られている。このため、送風ファン１０８が無い場合の内部の温度上昇は、この発熱だけで３８．４／５／０．１２８＝６０℃と見積もられ、外気温が２０℃でも内部の温度は８０℃に達する。実際には、この電力のほかに前述のレンズアクチュエータの消費電力や、光テープ１０５を駆動する送りモータ１０７の消費電力等が加わる。また、光データストリーマ装置が狭いラック内に設置されると、筐体１１１の表面の熱伝達率は５Ｗ／ｍ２・Ｋよりも更に小さな値となる。そのため、実際には、これよりもはるかに高い温度となり、光ピックアップ１０４や光テープ１０５は言うに及ばず、通常の電子部品の使用可能温度をも越え、装置の動作を保証できない。
【００６８】
本実施形態では、光ピックアップ１０４の発生する熱は光ピックアップ１０４に熱的に接続された放熱板１０９に伝達される。放熱板１０９には送風ファン１０８が発生する風が当り、光ピックアップ１０４の発生する熱を強制的に筐体１１１の外に排出する。放熱板１０９や送風ファン１０８は筐体１１１内に設けられるため、光ピックアップ１０４に対して、限られたスペースで高い放熱効果を得ることができる。
【００６９】
図８Ａは、筐体１１１を取り除いた状態の構成を裏面側から見た斜視図であり、図８Ｂは、その状態の構成を表面側から見た斜視図である。図９は、第２の空間２の側から見たシャーシ１１０の構成例を示す図である。これらの図に示されるように、本実施形態におけるシャーシ１１０には、光ピックアップアセンブリ６０、放熱板１０９、光ピックアップ用のフレキシブル回路基板１１２を保持する部材１１３、送風ファン１０８、および回路基板１１４などが取り付けられている。回路基板１１４には、図３に示す回路要素が搭載される。フレキシブル回路基板１１２を保持する部材１１３は。コネクタ付きの中継基板である。
【００７０】
図１０は、筐体１１１の裏面側を示す斜視図である。筐体１１１には、空気吸込用孔１１１ａおよび空気吐出用孔１１１ｂが設けられている。送風ファン１０８の回転により、空気吸込用孔１１１ａを介して筐体１１１の外部から空気が筐体１１１の第２の空間２の内部に流れ込む。一方、筐体１１１の第２の空間内の空気は、送風ファン１０８の回転により、空気吐出用孔１１１ｂを介して筐体１１１の外部に出る。このような空気の流れにより、第２の空間内の熱が筐体１１１の外部に捨てられる。こうして、光ピックアップ１０４で発生した熱は、放熱板１０９を介して筐体１１１の外部に出ていくため、筐体１１１の内部、より具体的には光ピックアップ１０４の温度上昇が抑制される。
【００７１】
このように、筐体１１１は板状のシャーシ１１０によって第１の空間１、第２の空間２に分けられており、第１の空間１には光ピックアップ１０４、光テープ１０５等が存在し、第２の空間には放熱板１０９、送風ファン１０８等が存在している。第２の空間１に存在する送風ファン１０８は埃を外部から吸い込み、その風が当る部分には埃が付着しやすい。光ピックアップ１０４に使用される、レンズやプリズム等の光学部品、レーザ等は、埃等の汚れが付着すると、その性能が劣化し、所定の特性を発揮できなくなる。また光テープ１０５は微細な領域に対し記録再生を行うため、これもまた埃の付着が好ましくない。本実施形態によれば、送風がなされる第２の空間２と、光テープ１０５が走行する第１の空間とが分離され、第１の空間１には埃が入りにくい。その結果、埃によって記録再生の品質が低下することが防止される。また、本実施形態では、光テープ１０５には空冷のための風は当たらない。光テープ１０５に風が当ると、これにより光テープ１０５は振動し、光ピックアップ１０４のサーボの外乱の要因となるが、本実施形態ではこのような問題を回避できる。一方、第１の空間１に位置する光ピックアップ１０４から第２の空間２への放熱はスムーズに行われ、しかも第２の空間２からの装置外への排熱も効率的に行われる。このため、複数の光ピックアップ１０４およびその周辺の温度は過剰に上昇せず、各部の温度変化を抑制することができる。その結果、温度変化により光テープの素材が伸縮し、これによっても諸特性が劣化するという問題を回避できる。
【００７２】
このように本実施形態によれば、平板状のシャーシ１１０によって筐体１１１を第１の空間１と第２の空間２に分けており、第１の空間１には光ピックアップ１０４、光テープ１０５等が存在し、第２の空間２には放熱板１０９、送風ファン１０８等が存在しているため、高い放熱効果を得ながら光ピックアップ１０４、光テープ１０５を埃や熱、風から避けることができる。
【００７３】
本第１の空間１と第２の空間２とを分けるのにシャーシ１１０ではなく特別の部材を配置してもよい。テープを記録媒体として使用する記録再生装置では、テープの走行する平面に多数のガイドポストや光ヘッドを配置するため、平面状の取り付け板を配置するのが、構造上、都合がよい。テープと直接接しないモータや駆動機構、回路はこの裏側に配置することにより、この取り付け板を有効に利用できる。このためテープ装置では、平板状のシャーシが存在るのが一般的である。本実施形態では、このようなシャーシを第１の空間１と第２の空間２を分けるのに用いる。こうすることにより、特別な部材を使用することなく筐体１１１内を第１の空間１と第２の空間２を分け、光ピックアップ１０４、光テープ１０５を埃や熱、風から避けることができる。
【００７４】
以上説明したように本実施形態によれば、高い放熱効果を得ることが出来、また、光ピックアップ１０４、光テープ１０５を埃や熱、風から避けることができる。このため、信頼性が高い情報記録再生装置を安価に得ることができる。
【００７５】
次に、本実施形態における光ピックアップ装置の位置決め機構を説明する。
【００７６】
図１１は、ピックアップ部品６の位置を決める位置決め部材２００の一例と、この位置決め部材２００によって位置決めがなされた複数のピックアップ部品６とを示している。ここでは、簡単のため、１つのピックアップ部品６が１つの光ピックアップを有していると仮定する。各ピックアップ部品６が備える光ピックアップの個数は２個またはそれ以上であってもよい。図１１において、各ピックアップ部品６の中央部に記載した円は、対物レンズ８の位置を示している。対物レンズ８の中心は、いずれも、光テープ１０５の破線の真上に位置している。図１１に示す配置例では、各ピックアップ部品６が目的とする位置に高い精度で配置されている。
【００７７】
後述するように、位置決め部材２００を作製する時の機械加工精度に起因して、位置決め部材２００のピックアップ部品６に当接する面（当接面）２００ａの位置が設計目標の位置からずれる。図１２は、光テープ１０５の走行方向（Ｘ方向）に垂直な方向（Ｙ方向）に当接面２００ａの位置がずれた場合を示している。当接面２００ａの位置が、破線で示される目標位置からＹ方向にシフトすると、その当接面２００ａに接触するピックアップ部品６のＹ方向位置もシフトする。このため、そのピックアップ部品６の対物レンズ８の位置も、目標位置からＹ方向にシフトする。
【００７８】
図１３（ａ）から（ｄ）は、金属製の素材ブロック２００’から機械加工により位置決め部材２００を作製する途中段階における、位置決め部材２００の形状変化を模式的に示す工程図である。
【００７９】
図１３（ａ）は、素材ブロック２００’を示す。図１３（ｂ）は、例えばフライス盤によって素材ブロック２００’の一部を切削し、深い段差を形成している様子を示している。図１３（ｃ）は、位置決め部材２００における１つの当接面２００ａが形成された状態を示している。この当接面２００ａを形成する機械加工の精度に応じて、当接面２００ａのＹ方向における位置が目標位置（破線）からデルタＹだけシフトしている。このとき、当接面２００ａのＸ方向における位置も目標位置（破線）からデルタＸだけシフトしている。
【００８０】
図１３（ｄ）は、同様の機械加工により、もう１つの段差を形成し、他の当接面２００ａを作製した状態を示している。このような機械加工を繰り返すことにより、階段状に並んだ複数の当接面２００ａを有する位置決め部材２００が完成する。位置決めの精度を高めるためには、このように高い精度での加工を繰り返す必要がある。
【００８１】
このような位置決め部材２００を用いたのでは、多数のピックアップ部品６を高い精度で配列することは、かなりのコストアップになるとともに、累積誤差により精度が得られない場合もある。このような問題を解決するため、本実施形態では、以下に説明する位置決め機構を採用する。
【００８２】
図１４は、テープ走行方向（Ｘ方向）から傾斜した方向に延びる取り付け軸（第１の規制部材）２０１と、この取り付け軸２０１に取り付けられたピックアップ部品６と、ピックアップ部品６のテープ走行方向における位置を規定する位置決め部材（第２の規制部材）２０３とを示している。
【００８３】
各ピックアップ部品６には、取り付け軸２０１が貫通する穴、または取り付け軸２０１を案内するガイドが設けられている。各ピックアップ部品６は、取り付け軸２０１が延びる方向に沿ってスライド可能である。言い換えると、各ピックアップ部品６は、取り付け軸２０１が延びる方向に一次元の自由度で移動可能に規制されている。取り付け軸２０１の形状は、ピックアップ部品６を直線上にスライドさせることができればよく、棒状または平板状であり得る。取り付け軸２０１の断面は、円形、楕円形、多角形（三角形、四角形を含む）であってもよい。
【００８４】
位置決め部材２０３は、各ピックアップ部品６のテープ走行方向（Ｘ方向）における移動を規制するように各ピックアップ部品６に当接する面（当接面２０３ａ）を有している。この当接面２０３ａは、各ピックアップ部品６の１つの側面６ａに当接し、テープ走行方向における各ピックアップ部品６の位置を規定する。図１４に示される位置決め部材２０３は、各ピックアップ部品６と対向するように階段状の面（対向面２０３ｂ）を有しているが、この対向面２０３ｂは、ピックアップ部品６に接触しておらず、対向面２０３ｂとピックアップ部品６との間には隙間が存在している。言い換えると、位置決め部材２０３は、それ自体では、各ピックアップ部品６のテープ走行方向（Ｘ方向）に垂直な方向（Ｙ方向）における位置を規制しない。各ピックアップ部品６のＹ方向における位置の規制には、取り付け軸２０１が必要である。
【００８５】
図１４は、位置決め部材２０３の当接面２０３ａがテープ走行方向（Ｘ方向）における目標位置（点線）２０３０から矢印の方向にシフトしている場合を示している。このシフトは、位置決め部材２０３を機械加工によって作製するときの寸法誤差に起因している。このシフトの大きさは、図１３におけるデルタＸに相当するが、誇張して大きく記載されている。
【００８６】
取り付け軸２０１および位置決め部材２０３の働きにより、各ピックアップ部品６の位置を決めることができる。各ピックアップ部品６が位置決め部材２０３の当接面２０３ａに接触した状態で、取り付け軸２０１の傾斜角度を変化させると、各ピックアップ部品６のテープ走行方向（Ｘ方向）における位置を固定したまま、そのテープ走行方向に垂直な方向（Ｙ方向）における位置を高い精度で調整することができる。こうして、ピックアップ部品６の位置決めがなされた後、各ピックアップ部品６は、位置決め部材２０３の当接面２０３ａに接触した状態で固定される。記録再生装置の動作時において、各ピックアップ部品６の位置は変化しない。ただし、ある実施形態では、光ピックアップアセンブリ６０を例えばシャーシ１１０に取り付けた後も、取り付け軸２０１の傾斜角度を調整することは可能である。ピックアップアセンブリ６０は着脱が自在であってもよい。また、光ピックアップアセンブリ６０から個々のピックアップ部品６を着脱することが自在にできるように構成されていてもよい。光ピックアップの個数が増加すると、そのうちの１つが故障した場合に、その故障した光ピッアップを含むピックアップ部品を新しい部品に交換できれば、光ピックアップアセンブリ６０の全体を新しい光ピックアップアセンブリ６０と交換する必要がなくなる。
【００８７】
位置決め時におけるピックアップ部品６の移動は、取り付け軸２０１に平行な方向に制限されているため、図１５に示すように、ピックアップ部品６の位置がテープ走行方向（Ｘ方向）に加工精度の範囲内でデルタＸだけシフトすると、そのピックアップ部品６の位置は、テープ走行方向（Ｘ方向）に垂直な方向（Ｙ方向）に、ｔａｎθ・デルタＸだけシフトする。ここで、θは、取り付け軸２０１が延びる方向とテープ走行方向（Ｘ方向）との間の角度（取り付け軸２０１の傾斜角）であり、その単位はラジアンである。幅１０ｍｍの光テープ１０５に対し、１００ｍｍの長さの範囲内にピックアップ部品６を配列する場合、取り付け軸２０１の傾斜角度θは、高さ１０ｍｍ、底辺長さ１００ｍｍの直角三角形の頂角に等しく設定され得る。その場合、ｔａｎθは０．１に等しくなるため、Ｙ方向の位置ずれをデルタＸの１０分の１に縮小することができる。ｔａｎθは、典型的には、０．４８／１２＝０．０４程度である。このため、本実施形態によれば、Ｙ方向の位置ずれを加工精度（デルタＸ）の０．０４＝１／２５以下に抑制することができる。したがって、上記の構成によれば、テープ走行方向に対して垂直な方向（Ｙ方向）におけるピックアップ部品６の位置決め制度を高めることができる。
【００８８】
図１４に示す例では、位置決め部材２０３と各ピックアップ部品６との間に隙間が存在するため、各ピックアップ部品６から放熱板１０９への熱伝達をスムーズに行うためには、この隙間を熱伝導率の高い材料（伝熱材料）で埋めることが好ましい。また、位置決め部材２０３を、放熱板２０４の一部または全体として用いてもよい。その場合、位置決め部材２０３を熱伝導率の高い金属材料から形成することが好ましい。なお、位置決め部材２０３とは別の部材を用いて、ピックアップ部品６と放熱板１０９とを熱的に接続してもよい。この場合、位置決め部材２０３は、熱伝導を行う部材として機能する必要はないので、熱伝導性の低い材料から位置決め部材２０３を形成してもよい。
【００８９】
図１６は、ある実施形態における光ピックアップアセンブリ６０の構成例を示している。この例では、取り付け軸２０１が６個のピックアップ部品６を貫通している。この例では、階段状の対向面を有する熱伝達部材２０５を介して、ピックアップ部品６と放熱板２０４とが熱的に接続されている。また、ピックアップ部品６の位置決めのため、熱伝達部材２０５とは別に、位置決め部材２０３が使用されている。位置決め部材２０３は、ＸＹ面に平行な面に沿って広がる薄い（厚さ：例えば１〜２ｍｍ）板から形成され、Ｚ方向に熱伝導部材２０５に積層されている。この例でも、ピックアップ部品６の位置は、取り付け軸２０１および位置決め部材２０３によって規定されている。
【００９０】
図１６の位置決め部材２０３および熱伝達部材２０５は、いずれも、ピックアップ部品６と対向する面を有している。これらの対向面はピックアップ部品６に接触しておらず、対向面とピックアップ部品６との間には隙間が存在している。ピックアップ部品６と熱伝達部材２０５との間にある隙間には、好ましくは、流動性および熱伝導性を有する伝熱材料２０６が充填される。この伝熱材料２０６を介して熱はピックアップ部品６から熱伝達部材２０５および放熱板２０４に流れる。放熱板２０４は、空冷の効率を高めるため、多数のフィンまたはロッドを有していてもよい。
【００９１】
以下、図１７および図１８を参照して、位置決め機構の他の構成例を説明する。図１７は、光ピックアップアセンブリ６０の一構成例を示す平面図であり、図１８は、その側面図である。図示されている光ピックアップアセンブリ６０は、シャーシ１１０に搭載されている。
【００９２】
この光ピッアップアセンブリ６０は、複数のピックアップ部品６と、各ピックアップ部品６の位置を決める位置決め機構２２０とを備えている。この位置決め機構２２０は、各ピックアップ部品６が取り付けられた取り付け軸（第１の規制部材）２０１と、ピックアップ部品６の各々をテープ走行方向に平行な方向において位置決めする位置決め部材２１０と、取り付け軸２０１をテープ走行方向から傾斜した方向に固定する固定具２０２とを備える。取り付け軸２０１は、みがき棒材等、安価で真直度のよい棒材で作られている。ピックアップ部品６には、嵌め合いよく取り付け軸２０１に嵌合する穴が設けられ、この穴を取り付け軸２０１が貫通している。固定具２０２は、取り付け軸２０１の両端またはその付近の位置を調整し、取り付け軸２０１の傾斜角度を変化させるように構成されている。
【００９３】
傾き規制部材１１４はシャーシ１１０と一体に形成され、複数のピックアップ部品６の背面に接し、ピックアップ部品６の取り付け軸２０１回りの回転を規制している。複数のピックアップ部品６の背面に接している各面は、同時にプレス加工されて形成されるので、これらの面を含む面の平面度は、良好で、ピックアップ部品６の取り付け軸２０１回りの回転によるピックアップ部品６の対物レンズの高さずれは無視し得る。
【００９４】
位置決め部材２１０は、一方の端に位置するピックアップ部品６のテープ走行方向における位置を決定するエッジ位置決め部材２０７と、各々が複数のピックアップ部品６の間に挿入され、テープ走行方向における各ピックアップ部品６の位置を決める複数のスペーサ２０８を有している。複数のピックアップ部品６は、スペーサ２０８を間に挟んで隙間無く密着して配置されている。スペーサ２０８は、均一な厚さの板金をプレスすることにより安価に製作される。各ピックアップ部品６の幅およびスペーサ２０８の幅は、取り付け軸２０１の傾斜角度を適切な値に調整したとき、各ピックアップ部品６の対物レンズ８が光テープ１０５の幅方向において適切な位置に配置されるように設計されている。各ピックアップ部品６およびスペーサ２０８の幅は、いずれも、高い精度で一定の幅を有しているため、エッジ位置決め部材２０７とスペーサ２０８とを組み合わせて用いることにより、各ピックアップ部品６のテープ走行方向における位置を高い精度で規制することができる。すなわち、取り付け軸２０１の傾斜角度を固定具２０２で細かく調整すれば、各ピックアップ部品６のテープ走行方向に垂直な方向における位置を高い精度で調整することができる。
【００９５】
本実施形態では、取り付け軸２０１の傾き角は、テープ走行方向におけるピックアップ部品６の取り付けピッチ（例えば１２ｍｍ）および光テープ１０５の幅方向寸法差（例えば０．４８ｍｍ）によって決まる。光テープ１０５の幅方向の必要取り付け精度は±０．０１５ｍｍと、高い精度が必要であるが、この小さな傾きのため、光テープ１０５走行方向における取り付け精度は、０．０１５×１２／０．４８ｍｍ＝０．３７５ｍｍの計算結果から、±０．３７５ｍｍでよい。これは通常の安価な樹脂成型や板金プレスで十分実現できる精度である。
【００９６】
固定具２０２により、取り付け軸２０１の位置、傾斜角度を調整することができるので、必要に応じて更に高い精度を得ることができる。固定具２０２は取り付け軸２０１の両端の高さを調整するため、例えば、調整ねじ、押圧ばね、およびガイドから構成され得る。その結果、安価な位置決め部材を使用して、複数の光ピックアップ１０４を精度よく取り付けることができる。なお、本実施形態では、固定具２０２によって取り付け軸２０１の高さや傾きを調整するようにしたが、このような調整をせずに精度のよい部材で取り付け軸２０１を固定してもい。
【００９７】
次に、図１９および図２０を参照する。これらの図に示された光ピックアップアセンブリ６０は、基本的には、図１７および図１８に示す光ピックアップアセンブリ６０と同様の構成を備えている。両者において異なる点は、図１９および図２０に示される光ピックアップアセンブリ６０が放熱板１０９と熱的に接触している点にある。
【００９８】
放熱板１０９４の上部は、固定具２０１などによって位置決めされた各ピックアップ部品６との間に隙間を形成するように、階段状の対向面を有している。この隙間は、放熱板１０９における階段状の対向面が各ピックアップ部品６の位置決めに影響を与えないように機能する。つまり、放熱板１０９は、ピックアップ部品６と機械的には接触しないため、ピックアップ部品６の位置を規制しない。このため、放熱板１０９の加工精度は、ピックアップ部品６の位置決め精度に影響しない。このように、放熱板１０９における階段状の対向面は、高い寸法精度が要求されないため、放熱板１０９は安価に作製され得る。
【００９９】
放熱板１０９とピックアップ部品６との間にある隙間は、伝熱部材２０６によって充填され、熱的な接触が実現している。伝熱部材２０６は、例えば放熱グリスから好適に形成され得る。放熱グリスは、粘度の高い液状であり、かつ熱伝導率も高い。伝熱部材２０６は、ピックアップ部品６と放熱板１０９とを熱的に結合するため、光ピックアップ１０４で発生した熱を放熱板２０４に伝導する。
【０１００】
図２１は、位置決め機構の他の構成例の概略を示す図である。１つの光ピックアップアセンブリが複数の取り付け軸２０１を備えていてもよい。図２１に示す例では、２本の取り付け軸２０１が異なる傾斜角度でピックアップ部品６の位置を決めている。また、この例では、中央部に位置する２個のピックアップ部品６の間に１つスペーサ２０７が挿入されているが、他の複数のピックアップユニット６は直接に接触するようにして隣接している。
【０１０１】
以上説明してきた実施形態では、筐体１１１の第１の空間１と第２の空間２とをシャーシ１１０により分けたが、他の部材、たとえば筐体の一部を使用しても分けてもよい。あるいは、筐体１１１の内部を複数の空間に分離する特別な部材を配置するようにしてもよい。第１の空間１と第２の空間２との間の分離は、２つの空間１、２の間で気体の流れが全く生じないように気密に行われる必要はない。第２の空間２から第１の空間１への埃の侵入が充分に抑制される程度に分離されていればよい。埃を通過させないフィルタがシャーシ１１０の一部、またはシャーシ１１０と筐体１１１との隙間に設けられていてもよい。
【０１０２】
シャーシ１１０には穴をあけて放熱板１０９の上部をピックアップ部品６に接触させるようにしたが、穴を設けず、シャーシ１１０の厚みを通じて伝熱するようにしてもよい。この場合、シャーシ１１０をアルミニウム等の、熱伝導率の良好な材料から形成し、シャーシ１１０に放熱板の機能の一部または全部を持たせるようにしてもよい。この場合、シャーシ１１０の面内方向への伝熱を防ぐため、シャーシ１１０において光ピックアップアセンブリ６０が取り付けられる領域の周囲に穴を設けてもよい。この際、埃対策を行うことが望ましい。
【０１０３】
送風ファン１０８は、巻き取りリール１０２の駆動用のモータ１０７で駆動するようにしたが、送風ファン１０８の専用のモータを設けてもよい。光ピックアップ１０４の発生する熱の量によっては、送風ファン１０８を設けなくてもよい。  上記の実施形態では、記録媒体として光テープを使用しているが、記録媒体は光テープに限定されず、例えば光ディスクであってもよい。
【産業上の利用可能性】
【０１０４】
本発明は、光データストリーマ装置のような記録再生装置に適用できる。
【符号の説明】
【０１０５】
１  第１の空間
２  第２の空間
４ａ  ベースフィルム
４ｂ  バックコート層
４ｃ  インプリント層
４ｄ  ランド
４ｅ  グルーブ
６  ピックアップ部品
８、８ａ、８ｂ  対物レンズ
９、９ａ、９ｂ  レンズアクチュエータ
２０  光学ベース
６０  光ピックアップアセンブリ
１０１    テープカートリッジ
１０２    巻取リール
１０３    テープガイドポスト
１０４    光ピックアップ
１０５    光テープ
１０６    逆送りモータ
１０７    順送りモータ
１０８    送風ファン
１０９    放熱板
１１０    シャーシ
１１１    筐体
１１２    ピックアップ用ＦＰＣ
１１３    ピックアップ用ＦＰＣ保持部
２００    位置決め部材
２０１    取り付け軸
２０２    固定具
２０３    位置決め部材
２０３ａ  当接面
２０３ｂ  対向面
２０７    エッジ位置決め部材
２０８    スペーサ
２１０    位置決め部材
２２０    位置決め機構
【図１Ａ】
2015215939.tif 000003
【図１Ｂ】
2015215939.tif 000004
【図２Ａ】
2015215939.tif 000005
【図２Ｂ】
2015215939.tif 000006
【図３】
2015215939.tif 000007
【図４】
2015215939.tif 000008
【図５】
2015215939.tif 000009
【図６】
2015215939.tif 000010
【図７Ａ】
2015215939.tif 000011
【図７Ｂ】
2015215939.tif 000012
【図８Ａ】
2015215939.tif 000013
【図８Ｂ】
2015215939.tif 000014
【図９】
2015215939.tif 000015
【図１０】
2015215939.tif 000016
【図１１】
2015215939.tif 000017
【図１２】
2015215939.tif 000018
【図１３】
2015215939.tif 000019
【図１４】
2015215939.tif 000020
【図１５】
2015215939.tif 000021
【図１６】
2015215939.tif 000022
【図１７】
2015215939.tif 000023
【図１８】
2015215939.tif 000024
【図１９】
2015215939.tif 000025
【図２０】
2015215939.tif 000026
【図２１】
2015215939.tif 000027